(57)【要約】【課題】  ユーザの意図する画像のみをプロジェクタに表示させると共に、プロジェクタの構成を簡単にすることができる技術を提供する。【解決手段】  画像供給装置は、プロジェクタによって投写面上に表示される画像の歪みを補正するための歪み補正情報をプロジェクタから取得する歪み補正情報取得部と、アプリケーションプログラムからの指示に従って、アプリケーションプログラムによって準備される原画像のうちのユーザによって選択された少なくとも一部を含む対象画像に、歪み補正情報を用いた歪み補正処理を施して、処理済み画像を生成する画像処理部と、処理済み画像をプロジェクタに供給する画像供給部と、を備える。【選択図】  図２
2006313259.tif 000002
【特許請求の範囲】
【請求項１】
プロジェクタに画像を供給する画像供給装置であって、
前記プロジェクタによって投写面上に表示される画像の歪みを補正するための歪み補正情報を前記プロジェクタから取得する歪み補正情報取得部と、
アプリケーションプログラムからの指示に従って、前記アプリケーションプログラムによって準備される原画像のうちのユーザによって選択された少なくとも一部を含む対象画像に、前記歪み補正情報を用いた歪み補正処理を施して、処理済み画像を生成する画像処理部と、
前記処理済み画像を前記プロジェクタに供給する画像供給部と、
を備えることを特徴とする画像供給装置。
【請求項２】
請求項１記載の画像供給装置であって、
前記画像処理部は、複数の前記対象画像に前記歪み補正処理を施して複数の前記処理済み画像を生成し、
前記画像供給装置は、さらに、
前記ユーザからの指示に従って、前記プロジェクタによる前記複数の処理済み画像の再生を制御する再生制御部であって、前記画像供給装置の表示部に表示され、前記ユーザからの指示を受け取るための制御画面を準備する、前記再生制御部を備え、
前記再生制御部は、前記制御画面を介して与えられた前記ユーザからの指示に従って、前記プロジェクタに前記複数の処理済み画像のうちの特定の処理済み画像を表示させる、画像供給装置。
【請求項３】
請求項２記載の画像供給装置であって、
前記制御画面は、前記プロジェクタによって表示される前記特定の処理済み画像に対応する特定の対象画像を表示する領域を含む、画像供給装置。
【請求項４】
請求項２または３記載の画像供給装置であって、
前記画像供給部は、前記複数の処理済み画像を一括して前記プロジェクタに供給する、画像供給装置。
【請求項５】
請求項２または３記載の画像供給装置であって、
前記画像供給部は、ユーザからの指示に従って、前記複数の処理済み画像を前記プロジェクタに順次供給する、画像供給装置。
【請求項６】
プロジェクタに画像を供給する画像供給方法であって、
（ａ）前記プロジェクタによって投写面上に表示される画像の歪みを補正するための歪み補正情報を前記プロジェクタから取得する工程と、
（ｂ）アプリケーションプログラムからの指示に従って、前記アプリケーションプログラムによって準備される原画像のうちのユーザによって選択された少なくとも一部を含む対象画像に、前記歪み補正情報を用いた歪み補正処理を施して、処理済み画像を生成する工程と、
（ｃ）前記処理済み画像を前記プロジェクタに供給する工程と、
を備えることを特徴とする画像供給方法。
【請求項７】
コンピュータに、プロジェクタへ画像を供給させるためのコンピュータプログラムであって、
前記プロジェクタによって投写面上に表示される画像の歪みを補正するための歪み補正情報を前記プロジェクタから取得する機能と、
アプリケーションプログラムからの指示に従って、前記アプリケーションプログラムによって準備される原画像のうちのユーザによって選択された少なくとも一部を含む対象画像に、前記歪み補正情報を用いた歪み補正処理を施して、処理済み画像を生成する機能と、
前記処理済み画像を前記プロジェクタに供給する機能と、
を備えることを特徴とするコンピュータプログラム。
【請求項８】
請求項７記載のコンピュータプログラムを記録したコンピュータ読み取り可能な記録媒体。
【発明の詳細な説明】
【技術分野】
【０００１】
この発明は、プロジェクタへ画像を供給する技術に関する。
【背景技術】
【０００２】
プレゼンテーションでは、プロジェクタが多く利用されている。プロジェクタは、コンピュータと接続され、コンピュータから供給された画像をスクリーン上に投写表示する。
【０００３】
【特許文献１】特開２００２−２７８５２９号公報
【特許文献２】特開２００４−８６２７７号公報
【特許文献３】国際公開第０１／９３５８３号パンフレット
【発明の開示】
【発明が解決しようとする課題】
【０００４】
しかしながら、コンピュータとプロジェクタとは、通常、ＲＧＢケーブルを介して接続されており、コンピュータの表示部に表示された画像全体がプロジェクタによって投写面上に表示されている。すなわち、従来では、プロジェクタによって投写面上に表示される画像は、コンピュータの表示部に表示される画像と同じであった。このため、コンピュータの表示部に、スクリーン上に表示すべきでない画像が表示されている場合には、ユーザは該画像を消去したり隠したりする必要があり、不便であった。
【０００５】
また、プロジェクタは、通常、投写面上に表示される画像の歪みを補正するための歪み補正処理を実行するが、該歪み補正処理は、１秒間に６０フレームの画像に対して実行されていた。このため、従来のプロジェクタでは、歪み補正処理のための専用のハードウェアが必要とされていた。
【０００６】
この発明は、従来技術における上述の課題を解決するためになされたものであり、ユーザの意図する画像のみをプロジェクタに容易に表示させると共に、プロジェクタの構成を簡単にすることを目的とする。
【課題を解決するための手段】
【０００７】
上述の課題の少なくとも一部を解決するため、本発明の装置は、プロジェクタに画像を供給する画像供給装置であって、
前記プロジェクタによって投写面上に表示される画像の歪みを補正するための歪み補正情報を前記プロジェクタから取得する歪み補正情報取得部と、
アプリケーションプログラムからの指示に従って、前記アプリケーションプログラムによって準備される原画像のうちのユーザによって選択された少なくとも一部を含む対象画像に、前記歪み補正情報を用いた歪み補正処理を施して、処理済み画像を生成する画像処理部と、
前記処理済み画像を前記プロジェクタに供給する画像供給部と、
を備えることを特徴とする。
【０００８】
この装置では、原画像の中からユーザによって選択された対象画像に歪み補正処理が施され、処理済み画像がプロジェクタに供給される。このため、ユーザの意図する画像のみをプロジェクタに容易に表示させることができる。また、プロジェクタは歪み補正処理を実行せずに済むため、プロジェクタの構成を簡単にすることができる。
【０００９】
上記の装置において、
前記画像処理部は、複数の前記対象画像に前記歪み補正処理を施して複数の前記処理済み画像を生成し、
前記画像供給装置は、さらに、
前記ユーザからの指示に従って、前記プロジェクタによる前記複数の処理済み画像の再生を制御する再生制御部であって、前記画像供給装置の表示部に表示され、前記ユーザからの指示を受け取るための制御画面を準備する、前記再生制御部を備え、
前記再生制御部は、前記制御画面を介して与えられた前記ユーザからの指示に従って、前記プロジェクタに前記複数の処理済み画像のうちの特定の処理済み画像を表示させることが好ましい。
【００１０】
こうすれば、複数の処理済み画像が生成される場合にも、ユーザは、所望の特定の処理済み画像をプロジェクタに表示させることができる。
【００１１】
上記の装置において、
前記制御画面は、前記プロジェクタによって表示される前記特定の処理済み画像に対応する特定の対象画像を表示する領域を含むことが好ましい。
【００１２】
こうすれば、ユーザは制御画面に表示された画像を確認することによって、投写面上に表示される処理済み画像を知ることができるため、投写面上に表示される処理済み画像を確認せずに済む。
【００１３】
上記の装置において、
前記画像供給部は、前記複数の処理済み画像を一括して前記プロジェクタに供給するようにしてもよい。
【００１４】
こうすれば、プロジェクタによって既に表示された処理済み画像を再度表示させる場合にも、プロジェクタに既に供給された処理済み画像を再度供給せずに済む。
【００１５】
上記の装置において、
前記画像供給部は、ユーザからの指示に従って、前記複数の処理済み画像を前記プロジェクタに順次供給するようにしてもよい。
【００１６】
こうすれば、プロジェクタ内部の処理済み画像データを格納するためのメモリの容量を比較的小さくすることができる。
【００１７】
なお、本発明は、投写表示システムの態様でも実現可能である。本発明の投写表示システムは、
上記のいずれかに記載の前記画像供給装置と、
前記プロジェクタと、
を備え、
前記プロジェクタは、
画像を表す光を射出する画像形成部と、
前記画像形成部から射出された光を投写面上に投写する投写光学系と、
前記歪み補正情報を前記画像供給装置に供給する歪み補正情報供給部と、
前記画像供給装置から前記処理済み画像を取得して、前記処理済み画像を前記画像形成部に供給する再生処理部と、
を備えることを特徴とする。
【００１８】
このシステムでは、画像供給装置から歪み補正処理が施された処理済み画像を取得するため、プロジェクタは歪み補正処理を実行せずに済み、この結果、プロジェクタの構成を簡単にすることができる。
【００１９】
上記のシステムにおいて、
前記再生処理部は、
複数の前記処理済み画像を格納する格納部を備え、
前記再生処理部は、
前記画像供給装置から与えられる命令に従って、前記複数の処理済み画像のうちの特定の処理済み画像を前記画像形成部に供給するようにしてもよい。
【００２０】
あるいは、上記のシステムにおいて、
前記再生処理部は、
前記画像供給装置から前記処理済み画像を取得する毎に、前記処理済み画像を前記画像形成部に供給するようにしてもよい。
【００２１】
なお、この発明は、画像供給装置および方法、該画像供給装置とプロジェクタとを備える投写表示システムおよび該システムにおける画像供給方法、画像供給装置の機能を実現するためのコンピュータプログラム、そのコンピュータプログラムを記録した記録媒体、そのコンピュータプログラムを含み搬送波内に具現化されたデータ信号、等の種々の態様で実現することができる。
【発明を実施するための最良の形態】
【００２２】
Ａ．第１実施例：
Ａ−１．投写表示システムの構成：
図１は、投写表示システムの構成を示す説明図である。この投写表示システムは、コンピュータ（画像供給装置）ＰＣとプロジェクタＰＪとを備えており、コンピュータＰＣとプロジェクタＰＪとは、ＵＳＢケーブルＣＢを介して接続されている。
【００２３】
コンピュータＰＣは、ＵＳＢケーブルＣＢを介して、デジタル画像データを不定期にプロジェクタＰＪに供給する。プロジェクタＰＪは、取得した画像データを内部に設けられた液晶ライトバルブに供給し、スクリーン上に画像を表示する。
【００２４】
ところで、プロジェクタは、通常、あおり投写によってスクリーン上に画像を表示する。あおり投写が行われる場合には、スクリーン上に表示される画像は台形状に歪む。このため、プロジェクタでは、液晶ライトバルブに歪み画像（台形状の画像）を形成することによって、スクリーン上に歪みのない画像を表示している。なお、あおり投写とは、プロジェクタの光源光軸がスクリーンに対して垂直に交わらない場合の投写手法を意味する。
【００２５】
本実施例では、コンピュータＰＣは、歪み補正処理が施された処理済み画像（すなわち歪み画像）をプロジェクタＰＪに供給する。このため、プロジェクタＰＪは、歪み補正処理を実行せずに、スクリーン上に歪みのない画像を表示することができる。
【００２６】
Ａ−２．コンピュータの構成：
図２は、図１のコンピュータＰＣの内部構成を示す説明図である。コンピュータＰＣは、ＣＰＵ１１０と、ＲＯＭやＲＡＭなどの内部記憶装置１２０と、外部記憶装置１５０と、表示部１６０と、マウスやキーボードなどの操作部１７０と、ＵＳＢインタフェース部（ＵＳＢＩＦ部）１９０と、を備えている。なお、ＣＰＵ１１０は、コンピュータＰＣの全体の動作を制御する。また、ＵＳＢＩＦ部１９０は、ＵＳＢケーブルＣＢを介してプロジェクタＰＪと接続されている。
【００２７】
内部記憶装置１２０には、プロジェクタ制御部１３０として機能するコンピュータプログラム（プロジェクタドライバ）が格納されている。プロジェクタ制御部１３０は、歪み補正情報取得部１３２と、画像処理部１３４と、画像供給部１３６と、再生制御部１３８と、を備えており、画像データを生成してプロジェクタに供給する機能を有している。なお、プロジェクタ制御部１３０の機能は、ＣＰＵ１１０がコンピュータプログラム（プロジェクタドライバ）を実行することによって実現される。
【００２８】
本実施例では、コンピュータプログラム（プロジェクタドライバ）は、予めプロジェクタＰＪの内部に格納されており、コンピュータＰＣは、プロジェクタＰＪと接続されると、プラグアンドプレイ機能によって、該コンピュータプログラムをコンピュータＰＣ内部にインストールする。なお、これに代えて、コンピュータプログラム（プロジェクタドライバ）は、ＣＤ−ＲＯＭなどのコンピュータ読み取り可能な記録媒体に記録された形態で提供されてもよい。
【００２９】
歪み補正情報取得部１３２は、プロジェクタＰＪによってスクリーン上に表示される画像の歪みを補正するための歪み補正情報（後述する）をプロジェクタＰＪから取得する。
【００３０】
画像処理部１３４は、ワードプロセッサなどのアプリケーションプログラムによって準備される原画像のうちの少なくとも一部を含む対象画像に、画像処理を施して、処理済み画像を生成する。なお、１つの対象画像は、複数ページで構成される原画像のうちの１つのページのみを含む画像であってもよいし、複数ページで構成される原画像のうちの２以上のページが合成された画像でもよい。また、１つの対象画像は、１ページで構成される原画像のうちの一部の領域のみを含む画像であってもよい。画像処理部１３４は、後述するように、解像度変換処理や、ガンマ補正処理、画像の明るさやコントラストなどの調整処理を実行する。また、画像処理部１３４は、歪み補正情報取得部１３２が取得した歪み補正情報を用いて、歪み補正処理を実行する。
【００３１】
画像供給部１３６は、ＵＳＢＩＦ部１９０を介して、画像処理部１３４によって生成された処理済み画像をプロジェクタＰＪに供給する。
【００３２】
再生制御部１３８は、プロジェクタＰＪによる画像の再生（表示）を制御する。具体的には、再生制御部１３８は、ユーザからの指示に従って、プロジェクタに処理済み画像を表示させる。また、再生制御部１３８は、ユーザがプロジェクタＰＪによって表示される画像をモニタすることができるように、表示部１６０に、プロジェクタＰＪによって表示される処理済み画像に対応する対象画像を表示する。
【００３３】
内部記憶装置１２０には、さらに、画像データ格納領域１４０が設けられている。画像データ格納領域１４０は、原画像データ格納領域１４２と、処理済み画像データ格納領域１４４と、モニタ用画像データ格納領域１４６と、を含んでいる。原画像データ格納領域１４２には、アプリケーションプログラムによって生成された原画像を表す原画像データが格納される。処理済み画像データ格納領域１４４には、プロジェクタＰＪに供給される処理済み画像を表す処理済み画像データが格納される。モニタ用画像データ格納領域１４６には、再生制御部１３８によって表示部１６０に表示される対象画像を表す対象画像データ（「モニタ用画像データ」とも呼ぶ）が格納される。なお、本実施例では、画像データ格納領域１４０には、ビットマップ形式で画像データが格納される。
【００３４】
Ａ−３．プロジェクタの構成：
図３は、図１のプロジェクタＰＪの内部構成を示す説明図である。プロジェクタＰＪは、照明光学系２００と、液晶ライトバルブ３００と、投写光学系３４０と、を備えている。なお、図３では、光学系の図示は、かなり簡略化されている。
【００３５】
また、プロジェクタＰＪは、光源ランプ駆動部２１０と、液晶ライトバルブ駆動部３１０と、歪み補正情報検出部３６０と、ＣＰＵ４００と、ＵＳＢインタフェース部（ＵＳＢＩＦ部）４１０と、表示制御部４２０と、プロジェクタドライバ供給部４１２と、を備えている。なお、ＣＰＵ４００は、プロジェクタＰＪの全体の動作を制御する。また、ＵＳＢＩＦ部４１０は、ＵＳＢケーブルＣＢを介してコンピュータＰＣと接続されている。
【００３６】
光源ランプ駆動部２１０は、照明光学系２００に含まれる光源ランプを駆動する。液晶ライトバルブ駆動部３１０は、表示制御部４２０から与えられる画像データに従って、液晶ライトバルブ３００を駆動する。
【００３７】
歪み補正情報検出部３６０は、歪み補正情報を検出する。周知のように、スクリーン上に表示される画像の歪みは、プロジェクタの投写角度に依存する。このため、歪み補正情報検出部３６０は、歪み補正情報として、プロジェクタＰＪの投写角度を検出する。ここで、プロジェクタの投写角度は、プロジェクタの光源光軸とスクリーンの法線との間の角度を意味する。なお、光源光軸は、照明光学系２００から射出される光の中心軸ＬＡを意味しており、光源光軸は、液晶ライトバルブ３００の有効表示領域（画像形成面）の中心を通る。
【００３８】
具体的には、歪み補正情報検出部３６０は、重力センサを備えており、プロジェクタの垂直方向の傾き角（チルト角）を検出する。なお、本実施例では、プロジェクタのチルト角のみが検出されているが、これに加えて、プロジェクタの水平方向の傾き角（パン角）が検出されてもよい。この場合には、例えば、プロジェクタにＣＣＤカメラなどの撮像装置を設け、撮像装置によって撮影された画像に含まれる投写面の特徴に基づいて、例えば、撮影された画像内に表現されたスクリーンや壁面の形状や角度に基づいて、チルト角とパン角とが検出されればよい。
【００３９】
表示制御部４２０は、歪み補正情報供給部４２２と、再生処理部４２４と、を備えており、プロジェクタＰＪによる画像の表示を制御する。
【００４０】
歪み補正情報供給部４２２は、歪み補正情報をコンピュータＰＣに供給する。具体的には、歪み補正情報供給部４２２は、コンピュータＰＣからの要求に応じて、歪み補正情報検出部３６０に投写角度を検出させ、検出値（歪み補正情報）を取得する。そして、歪み補正情報供給部４２２は、ＵＳＢＩＦ部４１０を介して、歪み補正情報をコンピュータＰＣに供給する。
【００４１】
再生処理部４２４は、画像データ格納部４２５を備えており、コンピュータＰＣから処理済み画像データを取得して、該処理済み画像データを画像データ格納部４２５に格納する。そして、再生処理部４２４は、コンピュータＰＣから与えられる再生命令に従って、画像データ格納部４２５から処理済み画像データを読み出し、液晶ライトバルブ駆動部３１０を介して液晶ライトバルブ３００に供給する。これにより、スクリーン上に歪みのない画像（処理済み画像）が表示される。
【００４２】
プロジェクタドライバ供給部４１２は、プロジェクタＰＪがコンピュータＰＣと接続されたときに、プロジェクタドライバをコンピュータＰＣに供給する。
【００４３】
Ａ−４．画像の表示：
図４は、スクリーン上に画像を表示するための一連の処理手順を示すフローチャートである。なお、図４では、ユーザの処理と、コンピュータＰＣの処理と、プロジェクタＰＪの処理と、が示されている。
【００４４】
ユーザは、コンピュータＰＣにおいて、アプリケーションプログラムを実行させ、アプリケーションプログラムの実行画面において、プロジェクタＰＪに表示させるべき画像を含むファイルを開く。図５は、表示部１６０に表示された画像を示す説明図である。図示するように、表示部１６０には、第１のアプリケーションプログラムの実行画面ＷＡ１と、第２のアプリケーションプログラムの実行画面ＷＡ２が表示されている。第１の実行画面ＷＡ１には、「Ａ」を含む画像が表示されており、第２の実行画面ＷＡ２には、「ａ」を含む画像が表示されている。なお、本実施例では、第１のアプリケーションプログラムによって準備される画像がプロジェクタＰＪによって表示される。
【００４５】
ステップＳ１０２では、ユーザは、第１のアプリケーションプログラムの実行画面ＷＡ１において、メニューバーを選択してプルダウンメニューを表示させる。そして、ユーザは、プロジェクタＰＪに画像を表示させるために、該プルダウンメニューにおいて「印刷」を選択する。この説明から分かるように、本実施例では、ユーザはプリンタに画像を印刷させる場合と同様の操作で、プロジェクタＰＪによる画像の表示を指示する。
【００４６】
ステップＳ２０２では、第１のアプリケーションプログラムは、メイン画面（ＧＵＩ：グラフィカルユーザインタフェース）を表示部１６０に表示させる。
【００４７】
図６は、ステップＳ２０２（図４）で表示されるメイン画面ＷＳ１を示す説明図である。図示するように、メイン画面ＷＳ１には、「プリンタ」設定フィールドＦＳ１ａや「印刷範囲」設定フィールドＦＳ１ｂなどの種々の設定フィールドが含まれている。また、メイン画面ＷＳ１には、「プロパティ」ボタンＢＳ１ａや「ＯＫ」ボタンＢＳ１ｂなどの種々のボタンが含まれている。
【００４８】
ステップＳ１０４（図４）では、ユーザはメイン画面ＷＳ１（図６）においてプロジェクタを選択する。具体的には、「プリンタ」設定フィールドＦＳ１ａには、１以上のプリンタと共に１以上のプロジェクタが表示される。ユーザは、「プリンタ」設定フィールドＦＳ１ａにおいて、所望のプロジェクタを選択する。図６では、「プロジェクタＰＪ」が選択されている。「プロジェクタＰＪ」が選択されると、コンピュータＰＣ内部では、プロジェクタＰＪに対応するプロジェクタドライバが選択される（Ｓ２０４）。
【００４９】
ステップＳ１０６では、ユーザはメイン画面ＷＳ１（図６）においてプロジェクタＰＪによって表示されるべき画像の範囲を設定する。具体的には、「印刷範囲」設定フィールドＦＳ１ｂには、３種類の印刷範囲（すなわち表示範囲）が選択可能に表示されている。「すべて」に対応するラジオボタンが選択されると、第１のアプリケーションプログラムによって生成された１以上のページを含む原画像のうち、すべてのページがプロジェクタによって表示される。同様に、「現在のページ」に対応するラジオボタンが選択されると、上記の原画像のうち、表示部１６０に表示されているページのみがプロジェクタによって表示される。また、「ページ指定」に対応するラジオボタンが選択され、かつ、ページ指定用のボックス内にページ番号が入力されると、上記の原画像のうち、指定されたページのみがプロジェクタによって表示される。図６では、「ページ指定」が選択されていると共に、ページ指定ボックス内に第１ページから第６ページを示す「１−６」が入力されている。
【００５０】
ステップＳ１０８では、ユーザはメイン画面ＷＳ１（図６）において、「プロパティ」ボタンＢＳ１ａを選択する。
【００５１】
ステップＳ２０８では、プロジェクタ制御部１３０は、プロパティ画面（ＧＵＩ）を表示部１６０に表示させる。
【００５２】
図７は、ステップＳ２０８（図４）で表示されるプロパティ画面ＷＳ２を示す説明図である。図示するように、プロパティ画面ＷＳ２には、複数のタブが準備されており、各タブを選択することによって、「画質」，「レイアウト」，「歪み補正」などの種々の設定画面（ＧＵＩ）が表示される。また、プロパティ画面ＷＳ２には、「ＯＫ」ボタンＢＳ２ａなどの種々のボタンが設けられている。図７では、「歪み補正」タブが選択されており、歪み補正設定画面ＷＳ３が表示されている。歪み補正設定画面ＷＳ３には、「歪み補正情報取得」ボタンＢ３ａが設けられている。
【００５３】
ステップＳ１１０（図４）では、ユーザは歪み補正設定画面ＷＳ３において、「歪み補正情報取得」ボタンＢＳ３ａを選択する。このとき、歪み補正情報取得部１３２は、プロジェクタＰＪに対して歪み補正情報の送信を要求する（ステップＳ２１０）。そして、プロジェクタＰＪの歪み補正情報供給部４２２は、歪み補正情報検出部３６０から歪み補正情報を取得して、コンピュータＰＣに供給する（ステップＳ３１０）。このようにして、歪み補正情報取得部１３２は、プロジェクタＰＪから歪み補正情報を取得する（ステップＳ２１０）。なお、歪み補正情報が取得されると、歪み補正に関する設定が完了する。なお、図７の歪み補正設定画面ＷＳ３には、取得された歪み補正情報、すなわち、プロジェクタの垂直方向の投写角度（チルト角）「１２度」が表示されている。
【００５４】
ステップＳ１１０では、ユーザはプロパティ画面ＷＳ２に設けられた各タブを選択することによって、種々の設定を行うことができる。例えば、「画質」タブが選択されると、画質設定画面（図示せず）が表示され、画像の明るさ、コントラストなどの設定を行うことができる。また、「レイアウト」タブが選択されると、レイアウト設定画面（図示せず）が表示され、スクリーン上に表示される１枚（１フレーム）の画像に含まれるべきページ数を設定することができる。
【００５５】
本実施例では、１枚（１フレーム）の画像に２ページ分の画像が含まれるように設定された場合を想定する。
【００５６】
プロパティ画面ＷＳ２（図７）において歪み補正情報の設定（ステップＳ１１０）を含む種々の設定が完了すると、ステップＳ１１２において、ユーザはプロパティ画面ＷＳ２に設けられた「ＯＫ」ボタンＢＳ２ａを選択する。なお、このとき、プロジェクタ制御部１３０はプロパティ画面ＷＳ２を閉じる。
【００５７】
また、メイン画面ＷＳ１（図６）においてプロジェクタの選択（Ｓ１０４）や表示範囲の指定（Ｓ１０６）などの種々の設定が完了すると、ステップＳ１１４において、ユーザはメイン画面ＷＳ１に設けられた「ＯＫ」ボタンＢＳ１ｂを選択する。なお、このとき、第１のアプリケーションプログラムはメイン画面ＷＳ１を閉じる。
【００５８】
ステップＳ１１４で「ＯＫ」ボタンＢＳ１ｂが選択されると、ステップＳ２１４において、第１のアプリケーションプログラムは、プロジェクタ制御部１３０にプロジェクタＰＪへの画像データの出力を指示する。そして、ステップＳ２１４では、プロジェクタ制御部１３０の画像処理部１３４は、種々の画像処理を実行する。
【００５９】
具体的には、画像処理部１３４は、まず、メイン画面ＷＳ１（図６）内の「印刷範囲」設定フィールドＦＳ１ｂで選択された表示範囲に対応する画像データを、原画像データ格納領域１４２から抽出する。本実施例では、第１ページから第６ページまでの画像データが抽出される。前述したように、本実施例では、プロパティ画面ＷＳ２（より具体的にはレイアウト設定画面）において、１枚（１フレーム）の画像に２ページ分の画像が含まれるように設定されている。このため、画像処理部１３４は、２ページ分の画像データを合成して、対象画像データを作成する。具体的には、原画像に含まれる第１ページと第２ページとが合成された第１の対象画像データと、第３ページと第４ページとが合成された第２の対象画像データと、第５ページと第６ページとが合成された第３の対象画像データと、が作成される。なお、１枚の画像に１ページ分の画像が含まれるように設定されている場合には、合成処理は実行されず、原画像に含まれる各ページの画像データが対象画像データとして扱われる。
【００６０】
また、画像処理部１３４は、各対象画像データに対して、解像度変換処理や、ガンマ補正処理を実行する。なお、解像度変換処理は、画像データの解像度をプロジェクタＰＪの液晶ライトバルブ３００の解像度に変換する処理である。ガンマ補正処理は、液晶ライトバルブ３００の表示特性に応じて画像データの画素値を調整する処理である。液晶ライトバルブの解像度と、液晶ライトバルブの表示特性に適したガンマ値とは、プロジェクタＰＪの機種に応じた固有の情報であり、プロジェクタドライバ（コンピュータプログラム）内に予め記述されている。
【００６１】
さらに、画像処理部１３４は、プロパティ画面ＷＳ２（より具体的には画質設定画面）において設定された設定値に基づいて、各対象画像データに対して、画像の明るさやコントラストなどの調整処理を実行する。
【００６２】
また、画像処理部１３４は、ステップＳ２０８で取得した歪み補正情報を用いて、各対象画像データに対して歪み補正処理を施す。なお、歪み補正処理は、歪み補正情報（投写角度）を用いて計算により実行されてもよい。あるいは、歪み補正処理は、複数の歪み補正情報に応じた複数の歪み形状（台形形状）を示すテーブルを予め準備し、該テーブルを参照することによって実行されてもよい。
【００６３】
上記のように、本実施例では、ステップＳ２１４において、複数の対象画像データに対して種々の画像処理が施され、複数の処理済み画像データが生成される。図８は、処理済み画像データによって表される処理済み画像を示す説明図である。なお、この処理済み画像は、第１のアプリケーションプログラム（図５参照）によって準備された原画像内の「Ａ」を含む第１ページと「Ｂ」を含む第２ページとが合成された対象画像に対して画像処理が施されたものである。図示するように、処理済み画像は、台形状に歪んでいる。この歪んだ処理済み画像をプロジェクタＰＪに供給すれば、プロジェクタＰＪは、歪みのない処理済み画像をスクリーン上に表示することができる。
【００６４】
なお、ステップＳ２１４では、画像処理部１３４は、複数の対象画像データ（モニタ用画像データ）をモニタ用画像データ格納領域１４６に格納し、複数の処理済み画像データを処理済み画像データ格納領域１４４に格納する。
【００６５】
ステップＳ２１６では、画像供給部１３６は、処理済み画像データ格納領域１４４に格納された複数の処理済み画像データを、プロジェクタＰＪに一括して供給する。
【００６６】
ステップＳ３１６では、プロジェクタＰＪの再生処理部４２４は、複数の処理済み画像データを取得し、画像データ格納部４２５に格納する。
【００６７】
ステップＳ２１８では、再生制御部１３８は、表示部１６０に再生制御画面を表示させる。
【００６８】
図９は、ステップＳ２１８（図４）で表示される再生制御画面ＷＰを示す説明図である。図９（Ａ）は、表示部１６０に表示される画像を示している。表示部１６０には、図５と同様に第１および第２のアプリケーションプログラムによって準備された第１および第２の実行画面ＷＡ１，ＷＡ２が表示されていると共に、再生制御画面ＷＰが表示されている。図９（Ｂ）では、再生制御画面ＷＰが拡大して示されている。図示するように、再生制御画面ＷＰには、４つの画像指定ボタンＢＰａ１〜ＢＰａ４と、一覧表示ボタンＢＰｂと、モニタ領域ＭＰと、が設けられている。
【００６９】
画像指定ボタンＢＰａ１〜ＢＰａ４は、プロジェクタＰＪが再生（表示）すべき画像を指定するためのボタンであり、いずれかのボタンが選択されると、プロジェクタＰＪによる画像の再生（表示）が開始される。第１のボタンＢＰａ１は、所定の順序で画像を順次指定するためのボタンである。なお、所定の順序は、処理済み画像の生成順序に従った順序であり、ページ順序と一致する。第２のボタンＢＰａ２は、該所定の順序と逆の順序で画像を順次指定するためのボタンである。また、第３のボタンＢＰａ３は、最初の画像を指定するためのボタンであり、第４のボタンＢＰａ４は、最後の画像を指定するためのボタンである。
【００７０】
モニタ領域ＭＰは、プロジェクタＰＪによって再生される画像をモニタするための領域である。具体的には、ユーザが画像指定ボタンＢＰａ１〜ＢＰａ４を操作することによってプロジェクタＰＪによって再生されるべき処理済み画像が指定されると、再生制御部１３８は、該処理済み画像に対応する対象画像を表す対象画像データ（モニタ用画像データ）をモニタ用画像データ格納領域１４６から読み出し、該対象画像をモニタ領域ＭＰ内に表示させる。このように、プロジェクタＰＪによってスクリーン上に表示される処理済み画像に対応する対象画像（モニタ用画像）がモニタ領域ＭＰに表示されれば、ユーザはプレゼンテーションにおいてスクリーンを確認せずに、スクリーン上に表示されている画像を知ることができる。
【００７１】
一覧表示ボタンＢＰｂは、複数の対象画像を縮小された状態でモニタ領域ＭＰに表示させるためのボタンである。
【００７２】
ステップＳ１２０（図４）では、ユーザは再生制御画面ＷＰにおいて画像指定ボタンＢＰａ１〜ＢＰａ４を操作し、プロジェクタＰＪによって再生されるべき所望の処理済み画像を指定する。
【００７３】
ステップＳ２２０では、再生制御部１３８は、ユーザによって指定された処理済み画像をプロジェクタＰＪに再生させるための再生命令を、プロジェクタＰＪに送信する。再生命令には、複数の処理済み画像のうちの１つを特定する識別番号が含まれている。すなわち、本実施例では、対象画像データと処理済み画像データとには、前述の所定の順序に従って、識別番号が付与されている。これにより、再生制御部１３８は、ユーザによって指定された処理済み画像に対応する識別番号を含む再生命令を送信することができる。
【００７４】
また、ステップＳ２２０では、再生制御部１３８は、ユーザによって指定された処理済み画像に対応する対象画像をモニタ領域ＭＰに表示させる。図９（Ａ），（Ｂ）では、第１のアプリケーションプログラムによって準備された原画像のうち、「Ａ」を含む第１のページと「Ｂ」を含む第２のページとで構成された対象画像がモニタ領域ＭＰに表示されている。
【００７５】
ステップＳ３２０では、プロジェクタＰＪは、再生命令に従って、画像を再生する。具体的には、再生処理部４２４は、再生命令に含まれる識別番号に従って、画像データ格納部４２５から１つの処理済み画像データを読み出し、該処理済み画像データを液晶ライトバルブ駆動部３１０を介して、液晶ライトバルブ３００に供給する。これにより、スクリーン上には、歪みのない処理済み画像が表示される。なお、図９（Ａ），（Ｂ）に示すように、モニタ領域ＭＰに「Ａ」を含む第１のページと「Ｂ」を含む第２のページとで構成された対象画像が表示される場合には、スクリーン上にも「Ａ」を含む第１のページと「Ｂ」を含む第２のページとで構成された処理済み画像が表示される。
【００７６】
なお、本実施例では、プロジェクタＰＪの画像データ格納部４２５に格納された処理済み画像データは、ステップＳ２１６において、新たな処理済み画像データが供給されたときに消去され、画像データ格納部４２５には、該新たな処理済み画像データが格納される。
【００７７】
以上説明したように、本実施例では、コンピュータＰＣ（より具体的には、プロジェクタ制御部１３０）は、アプリケーションプログラムによって準備された原画像の中からユーザによって選択された対象画像に歪み補正処理を施し、処理済み画像をプロジェクタＰＪに供給する。このため、図９（Ａ），（Ｂ）に示すように、コンピュータＰＣが表示部１６０に表示する画像と、プロジェクタＰＪがスクリーン上に表示する画像（モニタ領域ＷＰを参照）とは、異なっている。すなわち、本実施例では、コンピュータＰＣの表示部１６０に他人に見られたくない画像が表示されている場合にも、コンピュータＰＣの表示部１６０に表示され得るユーザの意図する画像のみをプロジェクタＰＪに表示させることができる。さらに、本実施例では、第１のアプリケーションプログラムによって表示部１６０に表示されていない画像（すなわち、図９（Ｂ）の「Ｂ」を含む第２のページ）も、プロジェクタＰＪに表示させることができる。
【００７８】
また、本実施例では、通常の投写表示システムではプロジェクタで実行される種々の処理がコンピュータＰＣにおいて実行されるため、プロジェクタＰＪの構成を比較的簡単にすることができ、この結果、プロジェクタを小型化および軽量化することができる。
【００７９】
例えば、通常のプロジェクタでは、コンピュータから供給されたアナログ画像信号をアナログ−デジタル変換するためのＡＤ変換器が設けられている。しかしながら、本実施例では、コンピュータＰＣは、ＵＳＢケーブルＣＢを介して、デジタル画像データをプロジェクタＰＪに供給する。このため、本実施例のプロジェクタＰＪでは、ＡＤ変換器が省略されている。
【００８０】
また、通常のプロジェクタでは、解像度変換処理手段や、ガンマ補正処理手段が設けられている。しかしながら、本実施例では、コンピュータＰＣにおいて、解像度変換処理やガンマ補正処理が実行される。このため、本実施例のプロジェクタＰＪでは、上記の各手段が省略されている。
【００８１】
さらに、通常のプロジェクタでは、メニュー画面を表示させる手段や、画像の明るさやコントラストなどを調整する手段が設けられている。しかしながら、本実施例では、プロジェクタドライバがメニュー画面に相当するプロパティ画面ＷＳ２（図７）を準備し、プロジェクタドライバがプロパティ画面ＷＳ２において設定された内容に基づいて画像の明るさやコントラストなどの調整処理を実行する。このため、本実施例のプロジェクタＰＪでは、上記の各手段が省略されている。
【００８２】
特に、通常のプロジェクタでは、歪み補正処理を実行する手段が設けられている。しかしながら、本実施例では、コンピュータＰＣが、プロジェクタＰＪから歪み補正情報を取得して、歪み補正処理を実行する。このため、本実施例のプロジェクタＰＪでは、歪み補正処理手段が省略されている。
【００８３】
Ｂ．第２実施例：
第１実施例では、複数の処理済み画像が一括してプロジェクタＰＪに供給されている。このため、プロジェクタＰＪの画像データ格納部４２５は、比較的大きな容量を有する必要がある。そこで、本実施例では、複数の処理済み画像をプロジェクタＰＪに順次供給している。
【００８４】
図１０は、第２実施例におけるスクリーン上に画像を表示するための一連の処理手順を示すフローチャートである。図１０は、図４とほぼ同じであるが、ステップＳ２１４よりも後の処理が変更されている。
【００８５】
ステップＳ２１４では、第１実施例と同様に、画像処理部１３４は、複数の対象画像データに対して画像処理を実行し、複数の処理済み画像データを生成する。
【００８６】
ステップＳ２３０では、図４のステップＳ２１８と同様に、再生制御部１３８は、表示部１６０に再生制御画面ＷＰを表示させる。
【００８７】
ステップＳ１３２では、図４のステップＳ１２０と同様に、ユーザは再生制御画面ＷＰにおいて画像指定ボタンＢＰａ１〜ＢＰａ４を操作する。これにより、プロジェクタＰＪによって再生されるべき処理済み画像が指定される。
【００８８】
ステップＳ２３２では、再生制御部１３８は、画像供給部１３６に、ユーザによって指定された１つの処理済み画像を表す１つの処理済み画像データのみをプロジェクタＰＪに供給させる。なお、ステップＳ２３２では、第１実施例と同様に、再生制御部１３８は、ユーザによって指定された処理済み画像に対応する対象画像をモニタ領域ＭＰに表示させる。
【００８９】
ステップＳ３２２では、プロジェクタＰＪの再生処理部４２４は、１つの処理済み画像データを取得し、画像データ格納部４２５に格納する。
【００９０】
ステップＳ３３４では、再生処理部４２４は、直ちに画像データ格納部４２５から処理済み画像データを読み出し、該処理済み画像データを液晶ライトバルブ駆動部３１０を介して、液晶ライトバルブ３００に供給する。
【００９１】
第２実施例では、ステップＳ１３２，Ｓ２３２，Ｓ３３２，Ｓ３３４の処理が繰り返し行われる。そして、再生処理部４２４は、各処理済み画像データを取得する毎に、画像データ格納部４２５内の処理済み画像データを更新し、新たな処理済み画像データを液晶ライトバルブ３００に供給する。これにより、プロジェクタＰＪには、各処理済み画像データが順次表示される。
【００９２】
以上説明したように、本実施例では、ユーザからの指示に従って、複数の処理済み画像がプロジェクタＰＪに順次供給されるため、画像データ格納部４２５の容量を比較的小さく設定することができる。例えば、画像データ格納部４２５の容量を１つの処理済み画像データのサイズと等しく設定することができる。
【００９３】
ただし、第２実施例を採用する場合には、プロジェクタＰＪによって既に表示された画像を再度表示する場合には、プロジェクタＰＪに既に供給された処理済み画像データを再度供給する必要がある。一方、第１実施例を採用すれば、例えば、プロジェクタＰＪに既に供給された処理済み画像データを再度供給せずに、プロジェクタＰＪによって既に表示された画像を再度表示させることができるという利点がある。
【００９４】
なお、この発明は上記の実施例や実施形態に限られるものではなく、その要旨を逸脱しない範囲において種々の態様において実施することが可能であり、例えば次のような変形も可能である。
【００９５】
（１）上記実施例では、処理済み画像データは、非圧縮形式でプロジェクタＰＪに供給されているが、これに代えて、圧縮形式で供給されてもよい。なお、この場合には、コンピュータＰＣの画像供給部１３６が圧縮手段を備え、プロジェクタＰＪの再生処理部４２４が伸張手段を備えていればよい。
【００９６】
（２）上記実施例では、ユーザによって原画像内の複数の対象画像が選択されているため、ステップＳ２１４において複数の処理済み画像が生成されているが、ユーザによって原画像内の１つの対象画像が選択される場合には、ステップＳ２１４において１つの処理済み画像のみが生成される。このように、ステップＳ２１４において１つの処理済み画像のみが生成される場合には、再生制御画面ＷＰは表示されなくてもよい。なお、再生制御画面ＷＰに代えて、モニタ領域のみを含む画面が表示されるようにしてもよい。
【００９７】
なお、ステップＳ２１４において１つの処理済み画像が生成される場合には、画像供給部１３６は、生成された処理済み画像をプロジェクタＰＪに直ちに供給し、再生処理部４２４は、取得した処理済み画像を液晶ライトバルブ３００に直ちに供給すればよい。
【００９８】
また、ステップＳ２１４において１つの処理済み画像の生成のみが許容されている場合には、再生制御部１３８は省略可能である。
【００９９】
（３）上記実施例では、プロジェクタ制御部１３０（プロジェクタドライバ）が再生制御部１３８を含んでいるが、これに代えて、再生制御部（再生制御プログラム）は、独立して準備されてもよい。
【０１００】
（４）上記実施例では、アプリケーションプログラムが準備するプルダウンメニューにおいて「印刷」が選択されているが、これに代えて、アプリケーションプログラムは「プロジェクタ出力」を含むプルダウンメニューを準備するよにしてもよい。
【０１０１】
（５）上記実施例では、プロジェクタは、液晶ライトバルブに代えて、ＤＭＤ（ディジタル・マイクロミラー・デバイス）（ＴＩ社の商標）などのマイクロミラー型光変調装置を備えていてもよい。あるいは、プロジェクタは、高輝度ブラウン管や、プラズマディスプレイ画面、エレクトロルミネッセンスディスプレイ画面、発光ダイオード型ディスプレイ画面、フィールドエミッションディスプレイ画面などを備えていてもよい。このように、画像形成部としては、非自発光型の装置や、自発光型の装置を用いることができる。
【０１０２】
（６）上記実施例において、ハードウェアによって実現されていた構成の一部をソフトウェアに置き換えるようにしてもよく、逆に、ソフトウェアによって実現されていた構成の一部をハードウェアに置き換えるようにしてもよい。
【図面の簡単な説明】
【０１０３】
【図１】投写表示システムの構成を示す説明図である。
【図２】図１のコンピュータＰＣの内部構成を示す説明図である。
【図３】図１のプロジェクタＰＪの内部構成を示す説明図である。
【図４】スクリーン上に画像を表示するための一連の処理手順を示すフローチャートである。
【図５】表示部１６０に表示された画像を示す説明図である。
【図６】ステップＳ２０２（図４）で表示されるメイン画面ＷＳ１を示す説明図である。
【図７】ステップＳ２０８（図４）で表示されるプロパティ画面ＷＳ２を示す説明図である。
【図８】処理済み画像データによって表される処理済み画像を示す説明図である。
【図９】ステップＳ２１８（図４）で表示される再生制御画面ＷＰを示す説明図である。
【図１０】第２実施例におけるスクリーン上に画像を表示するための一連の処理手順を示すフローチャートである。
【符号の説明】
【０１０４】
１１０…ＣＰＵ
１２０…内部記憶装置
１３０…プロジェクタ制御部
１３２…歪み補正情報取得部
１３４…画像処理部
１３６…画像供給部
１３８…再生制御部
１４０…画像データ格納領域
１４２…原画像データ格納領域
１４４…処理済み画像データ格納領域
１４６…モニタ用画像データ格納領域
１５０…外部記憶装置
１６０…表示部
１７０…操作部
１９０…ＵＳＢＩＦ部
２００…照明光学系
２１０…光源ランプ駆動部
３００…液晶ライトバルブ
３１０…液晶ライトバルブ駆動部
３４０…投写光学系
３６０…歪み補正情報検出部
４００…ＣＰＵ
４１０…ＵＳＢＩＦ部
４１２…プロジェクタドライバ供給部
４２０…表示制御部
４２２…歪み補正情報供給部
４２４…再生処理部
４２５…画像データ格納部
ＰＣ…コンピュータ
ＰＪ…プロジェクタ
【図１】
2006313259.tif 000003
【図２】
2006313259.tif 000004
【図３】
2006313259.tif 000005
【図４】
2006313259.tif 000006
【図５】
2006313259.tif 000007
【図６】
2006313259.tif 000008
【図７】
2006313259.tif 000009
【図８】
2006313259.tif 000010
【図９】
2006313259.tif 000011
【図１０】
2006313259.tif 000012